(57)【要約】      （修正有）【課題】持ち運びに便利であり、また持ち運ぶこととの関係でケージングのカバー構造を改良してペットがカバーを開いてケーシング内のホッパの餌を食べるというようなことがないようにしたペット用自動給餌器を提供する。【解決手段】ケーシング１１内のホッパ２１から供給機構３１及びガイド４１を介してケーシング外のトレイ５１に所定量の餌を定期的に自動供給するようにしたペット用自動給餌器であって、有底筒形のケーシングと、該ケーシングの上部に開閉可能に被着したカバー６１と、該ケーシングの対向する両側面上部に亘って旋回可能に取付けたハンドルと、該ケーシング内に収納したホッパ及び該ホッパを臨む供給機構と、基端部が該供給機構を臨み且つ先端部が該ケーシングの側面下部の開口から該ケーシング外に取出したガイドと、該ガイドを臨むトレイとを備え、ハンドル７１を平面から見て中心位置よりも正面側のガイド方向へ片寄った位置に取付け、該ハンドルには正面側に耳片７２を突設して、該ハンドルを背面側へ倒したときに該耳片がカバーをケーシングに押さえ付けるようにした。【選択図】図３
0003146361.tif 000002
【実用新案登録請求の範囲】
【請求項１】
ケーシング内のホッパから供給機構及びガイドを介してケーシング外のトレイに所定量の餌を定期的に自動供給するようにしたペット用自動給餌器であって、有底筒形のケーシングと、該ケーシングの上部に開閉可能に被着されたカバーと、該ケーシングの対向する両側面上部に亘って旋回可能に取付けられたハンドルと、該ケーシング内に収納されたホッパ及び該ホッパを臨む供給機構と、基端部が該供給機構を臨み且つ先端部が該ケーシングの側面下部の開口から該ケーシング外に取出されたガイドと、該ガイドを臨むトレイとを備え、ハンドルが平面から見て中心位置よりも正面側のガイド方向へ片寄った位置に取付けられており、該ハンドルには正面側に耳片が突設されていて、該ハンドルを背面側へ倒したときに該耳片がカバーをケーシングに押さえ付けるようにして成ることを特徴とするペット用自動給餌器。
【請求項２】
ハンドルの両端部がケーシングの対向する両側面上部に軸支されており、その軸支部の内側先端部にストッパが突設されていて、またカバーの内側の対向する両端部に鉤片が設けられ、ハンドルを背面側へ倒したときに該ストッパが該鉤片に係合してカバーをケーシングに固定するようにした請求項１記載のペット用自動給餌器。
【請求項３】
供給機構が、供給羽根車と、開放上部がホッパの底部に取付けられ且つ底面に切欠部が形成された該供給羽根車の外殻体と、該供給羽根車の駆動系とを備え、駆動系の駆動軸と嵌合する一つの従動軸にホッパ、供給羽根車及び外殻体が一体的に支持されており、これらは一体でケーシング外に取出されるようになっていて、駆動系からの制御された駆動による供給羽根車の回転により、ホッパから供給羽根車及び外殻体を介し、該外殻体の切欠部からこれを臨むガイドへと所定量の餌を定期的に供給するようにした請求項１又は２記載のペット用自動給餌器。
【請求項４】
従動軸の先端部がホッパ内に取出されており、該先端部に撹拌羽根車が取付けられていて、該撹拌羽根車の回転により、該ホッパ内の餌を撹拌するようにした請求項３記載のペット用自動給餌器。
【請求項５】
ケーシングの側面下部の開口に近接する底面内側及びガイドの先端部の下側に係合片が突設されており、トレイを該底面と該ガイド片との間に該係合片で係合した状態として該ケーシングと一体的に持ち運べるようにした請求項１〜４のいずれか一つの項記載のペット用自動給餌器。
【請求項６】
ケーシング及びカバーがプラスチック製のものであり、該ケーシングが横断面楕円形で且つ全体として背面側に湾曲した有底筒形を呈していて、該カバーが透明又は半透明のものである請求項１〜５のいずれか一つの項記載のペット用自動給餌器。
【考案の詳細な説明】
【技術分野】
【０００１】
本考案はペット用自動給餌器に関する。犬、猫、鳥等のペット用の餌を、ペットに応じて設定した時に且つ設定した量だけ自動供給するペット用自動給餌器が利用されている。本考案はかかるペット用自動給餌器の改良に関する。
【背景技術】
【０００２】
従来、前記のようなペット用自動給餌器として各種が提案されている（例えば特許文献１〜７参照）。しかし、これら従来のペット用自動給餌器には、もともとが家屋内やケージ内等に定置的に置かれる構造乃至形状のものとなっているため、持ち運びに不便であり、また自動供給する餌を貯留するためのホッパを覆うカバーが簡単に開く構造のものとなっているため、ペットがカバーを開いてホッパの餌を食べてしまうことがしばしば発生するという問題がある。
【特許文献１】特開平７−１８４５０４号公報
【特許文献２】特開平９−９８６８７号公報
【特許文献３】特開２０００−２９５９３６号公報
【特許文献４】特開２００４−６５２２０号公報
【特許文献５】特開２００７−３３０２４７号公報
【特許文献６】実用新案登録第３０１７５０１号公報
【特許文献７】実用新案登録第３１１５２３８号公報
【考案の開示】
【考案が解決しようとする課題】
【０００３】
本考案が解決しようとする課題は、持ち運びに便利であり、また持ち運ぶこととの関係でケーシングのカバー構造を改良し、ペットがカバーを開いてケーシング内のホッパの餌を食べるというようなことがないようにしたペット用自動給餌器を提供する処にある。
【課題を解決するための手段】
【０００４】
前記の課題を解決する本考案は、ケーシング内のホッパから供給機構及びガイドを介してケーシング外のトレイに所定量の餌を定期的に自動供給するようにしたペット用自動給餌器であって、有底筒形のケーシングと、該ケーシングの上部に開閉可能に被着されたカバーと、該ケーシングの対向する両側面上部に亘って旋回可能に取付けられたハンドルと、該ケーシング内に収納されたホッパ及び該ホッパを臨む供給機構と、基端部が該供給機構を臨み且つ先端部が該ケーシングの側面下部の開口から該ケーシング外に取出されたガイドと、該ガイドを臨むトレイとを備え、ハンドルが平面から見て中心位置よりも正面側のガイド方向へ片寄った位置に取付けられており、該ハンドルには正面側に耳片が突設されていて、該ハンドルを背面側へ倒したときに該耳片がカバーをケーシングに押さえ付けるようにして成ることを特徴とするペット用自動給餌器に係る。
【０００５】
本考案に係るペット用自動給餌器も、ケーシングと、ホッパと、供給機構と、ガイドと、トレイとを備え、ケーシング内のホッパから供給機構及びガイドを介してケーシング外のトレイに所定量の餌を定期的に自動供給するようになっている。ケーシングは有底筒形になっており、ホッパは該ケーシング内に収納されていて、供給機構は該ホッパを臨んでいる。ガイドは基端部が供給機構を臨み且つ先端部がケーシングの側面下部の開口から該ケーシング外に取出されていて、トレイは該ガイドを臨んでいる。
【０００６】
本考案に係るペット用自動給餌器は、更にカバーと、ハンドルとを備え、カバーはケーシングの上部に開閉可能に被着されていて、ハンドルは該ケーシングの対向する両側面上部に亘って旋回可能に取付けられている。ハンドルは平面から見て中心位置よりも正面側のガイド方向へ片寄った位置に取付けられており、該ハンドルには正面側に耳片が突設されていて、該ハンドルを背面側へ倒したときに該耳片がカバーをケーシングに押さえ付けるようになっている。本考案に係るペット用自動給餌器によると、ハンドルが取付けられているため、持ち運びに便利であり、また該ハンドルを背面側へ倒したとき、耳片がカバーをケーシングに押さえ付けるようになっているため、ペットがカバーを開いてケーシング内のホッパの餌を食べるというようなことを防止できる。
【０００７】
本考案に係るペット用自動給餌器において、ハンドルは、その両端部がケーシングの対向する両側面上部に軸支されており、その軸支部の内側先端部にストッパが突設されていて、またカバーの内側の対向する両端部には鉤片が設けられ、ハンドルを背面側へ倒したときに該ストッパが該鉤片に係合してカバーをケーシングに固定するようにしたものが好ましい。かかるペット用自動給餌器によると、ハンドルを背面側へ倒したとき、ストッパがカバーの鉤片に係合して該カバーをケーシングに固定するため、ペットがカバーを開いてケーシング内のホッパの餌を食べるというようなことをより確実に防止できる。
【０００８】
また本考案に係るペット用自動給餌器において、供給機構は、供給羽根車と、開放上部がホッパの底部に取付けられ且つ底面に切欠部が形成された該供給羽根車の外殻体と、該供給羽根車の駆動系とを備え、駆動系の駆動軸と嵌合する一つの従動軸にホッパ、供給羽根車及び外殻体が一体的に支持されており、これらは一体でケーシング外に取出されるようになっていて、駆動系からの制御された駆動による供給羽根車の回転により、ホッパから供給羽根車及び外殻体を介し、該外殻体の切欠部からこれを臨むガイドへと所定量の餌を定期的に供給するようにしたものが好ましい。かかるペット用自動給餌器によると、餌を貯留するためのホッパ、該ホッパから餌を定期的に且つ定量的に供給するための供給羽根車及びその外殻体を一体でケーシング外に取出して、簡単に清掃することができるため、汚れ易いペット用自動給餌器の外部だけではなく内部までも常時清潔に保つことができる。
【０００９】
更に本考案に係るペット用自動給餌器において、前記のようにホッパ、供給羽根車及び外殻体が一体的に支持された従動軸は、その先端部が該ホッパ内に取出されており、該先端部に撹拌羽根車が取付けられていて、該撹拌羽根車の回転により、該ホッパ内の餌を撹拌するようにしたものが好ましい。かかるペット用自動給餌器によると、従動軸と共に回転する撹拌羽根車がホッパ内の餌を撹拌するため、該ホッパ内で餌が所謂ブリッジ現象を起こして滞るのを防止できる。
【００１０】
更にまた本考案に係るペット用自動給餌器において、ケーシングにはその側面下部の開口に近接する底面内側に係合片が突設されており、またガイドにもその先端部の下側に係合片が突設されていて、トレイを該底面と該ガイド片との間にこれらの係合片で係合した状態として該ケーシングと一体的に持ち運べるようにしたものが好ましい。かかるペット用自動給餌器によると、ケーシングと一体的にトレイも持ち運べるため、実用上誠に便利である。
【００１１】
そして本考案に係るペット用自動給餌器において、ケーシング及びカバーはプラスチック製のものとし、該ケーシングは横断面楕円形で且つ全体として背面側に湾曲した有底筒形を呈するものとして、該カバーは透明又は半透明のものとするのが好ましい。かかるペット用自動給餌器によると、ホッパ内の餌の残量を外部から観察できるため、全体を軽量でバランスのとれた使い勝手のよいものにすることができる。
【考案の効果】
【００１２】
本考案によると、持ち運びに便利であり、またペットがカバーを開いてケーシング内のホッパの餌を食べるというようなことを防止できる。
【実施例】
【００１３】
図１は本考案に係るペット用自動給餌器を例示する斜視図、図２は図１と同じペット用自動給餌器を示す右側面図、図３は図２の縦断面図、図４は図３のペット用自動給餌器からホッパを取除いた状態を示す部分拡大縦断面図、図５は図４のペット用給餌器のハンドルを正面側へ倒した状態を示す部分拡大縦断面図、図６は図３のペット用自動給餌器から取出したホッパや供給羽根車等を示す部分拡大底面図、図７は図３のペット用自動給餌器からホッパや供給羽根車等を取除いた状態を示す部分拡大平面図、図８は図３のペット用自動給餌器の駆動系を示すブロック図である。
【００１４】
図示したペット用自動給餌器は、ケーシング１１と、ホッパ２１と、供給機構３１と、ガイド４１と、トレイ５１とを備え、ケーシング１１内のホッパ２１から供給機構３１及びガイド４１を介してケーシング１１外のトレイ５１に所定量の餌を定期的に自動供給するようになっている。ケーシング１１は有底筒形になっており、ホッパ２１はケーシング１１内に収納されていて、供給機構３１はホッパ２１を臨んでいる。ガイド４１は基端部が供給機構３１を臨み且つ先端部がケーシング１１の側面下部の開口１２からケーシング１１外に取出されていて、トレイ５１はガイド４１を臨んでいる。
【００１５】
図示したペット用自動給餌器は、更にカバー６１と、ハンドル７１とを備え、カバー６１はケーシング１１の上部にヒンジ６２を介して開閉可能に軸支され、被着されていて、ハンドル７１はケーシング１１の対向する両側面上部に亘って旋回可能に取付けられている。ハンドル７１は平面から見て中心位置よりも正面側のガイド４１方向へ片寄った位置に取付けられており、ハンドル７１には正面側に耳片７２，７３が突設されていて、カバー６１を閉じ、ハンドル７１を背面側へ倒したときに耳片７２，７３がカバー６１をケーシング１１に押さえ付けるようになっている（図１〜図４の状態）。図示したペット用自動給餌器によると、ハンドル７１が取付けられているため、持ち運びに便利であり、またカバー６１を閉じ、ハンドル７１を背面側へ倒したとき、耳片７２，７３がカバー６１をケーシング１１に押さえ付けるようになっているため、ペットが簡単にはカバー６１を開いてケーシング１１内におけるホッパ２１の餌を食べることができないようになっている。
【００１６】
図示したペット用自動給餌器では、ハンドル７１は、その両端部がケーシング１１の対向する両側面上部に旋回可能に軸支されており、その軸支部７４，７５（但し、軸支部７５は図示しない、以下同じ）の内側先端部にストッパ７６，７７（但し、ストッパ７７は図示しない、以下同じ）が突設されていて、またカバーの内側の対向する両端部には鉤片６３，６４（但し、鉤片６４は図示しない、以下同じ）が設けられ、ハンドル７１を背面側へ倒したときにストッパ７６，７７が鉤片６３，６４に係合してカバー６１をケーシング１１に固定するようになっている（図４の状態）。かかるペット用自動給餌器によると、ハンドル７１を背面側へ倒したとき、ストッパ７６，７７がカバー６１の鉤片６３，６４に係合してカバー６１をケーシング１１に固定するため、ペットがカバーを開いてホッパ２１の餌を食べるというようなことをより確実に防止できる。
【００１７】
また図示したペット用自動給餌器では、供給機構３１は、供給羽根車３２と、開放上部がホッパ２１の底部に取付けられ且つ底面に切欠部３３が形成された供給羽根車３２の外殻体３４と、供給羽根車３２の駆動系８１とを備え、駆動系８１の駆動軸８２と嵌合する一つの従動軸３５にホッパ２１、供給羽根車３２及び外殻体３４が一体的に支持されており、これらは一体でケーシング１１外に取出されるようになっていて、駆動系８１からの制御された駆動による供給羽根車３２の回転により、ホッパ２１から供給羽根車３２及び外殻体３４を介し、外殻体３４の切欠部３３からこれを臨むガイド４１へと所定量の餌を定期的に供給するようになっている。かかるペット用自動給餌器によると、餌を貯留するためのホッパ２１、ホッパ２１から餌を定期的に且つ定量的に供給するための供給羽根車３２及びその外殻体３４を一体でケーシング１１外に取出して、簡単に清掃することができるため、汚れ易いペット用自動給餌器の外部だけではなく内部までも常時清潔に保つことができる。
【００１８】
供給羽根車３２の駆動系８１は、モータ８３と、モータ８３の回転軸に取付けられた小ベルト車８４と、小ベルト車８４にベルト８５を介して接続された大ベルト車８６と、大ベルト車８６の回転軸に取付けられたねじ歯車８７と、ねじ歯車８７に噛合された大歯車８８と、大歯車８８の中心部に設けられた駆動軸８２とを備え、これらは基台８９に支持されている。駆動軸８２の上部には前記した従動軸３５の下部と嵌合するための平面から見て十字形の凹部８２ａが形成されており、モータ８３は図示しない電源、例えば乾電池へと接続されるようになっている。モータ８３の回転を、小ベルト車８４、ベルト８５、大ベルト車８６、ねじ歯車８７及び大歯車８８を介して駆動軸８２に伝え、更にこれと嵌合する前記した従動軸３５に伝える構成である。
【００１９】
更に図示したペット用自動給餌器では、前記のようにホッパ２１、供給羽根車３２及び外殻体３４が一体的に支持された従動軸３５は、その先端部３６がホッパ２１内に取出されており、先端部３６に撹拌羽根車３７が取付けられていて、撹拌羽根車３７の回転により、ホッパ２１内の餌を撹拌するようになっている。かかるペット用自動給餌器によると、従動軸３５と共に回転する撹拌羽根車３７がホッパ２１内の餌を撹拌するため、ホッパ２１内で餌が所謂ブリッジ現象を起こして滞るのを防止できる。
【００２０】
更にまた図示したペット用自動給餌器では、ケーシング１１の側面下部の開口１２に近接する底面内側に係合片１３が突設されており、またガイド４１にもその先端部の下側に係合片４２が突設されていて、周縁が折り返された平面が円形のトレイ５１をケーシング１１の底面とガイド片４１との間にこれらの係合片１３，４２で係合した状態としてケーシング１１と一体的に持ち運べるようになっている。かかるペット用自動給餌器によると、ケーシング１１と一体的にトレイ５１も持ち運べるため、実用上誠に便利である。
【００２１】
以上、図示したペット用自動給餌器について説明したが、ケーシング１１及びカバー６１はプラスチック製のもので、ケーシング１１は横断面楕円形で且つ全体として背面側に湾曲した有底筒型となっており、ケーシング１１の対称位置関係にある側面下部の４箇所には足片１４〜１７が取付けられていて、カバー６１は半透明となっている。かかるペット用自動給餌器によると、座りがよく、またホッパ２１内の餌の残量を外部から観察できるため、全体を軽量でバランスのとれた使い勝手のよいものにすることができる。
【００２２】
またケース１１の側面上部の正面側における内側には、操作パネル９１が取付けられている。操作パネル９１は制御基板９２に接続されており、制御基板９２には電源９３が接続されるようになっている。かかる制御基板９２は表示部９４に接続されており、また前記したモータ８３に接続されていて、モータ８３は供給機構３１の供給羽根車３２へと接続されるようになっている。供給羽根車３２の羽根の回転こま数はカウンタースイッチ９５で計測され、計測された回転こま数は制御基板９２に入力されるようになっている。操作パネルに設定した時間及び回転こま数（実際には回転こま数と比例する供給量）に応じてモータ８３が駆動し、供給羽根車３２が回転して、ホッパ２１から定期的に且つ定量的に餌をトレイ５１へ供給する。
【図面の簡単な説明】
【００２３】
【図１】本考案に係るペット用自動給餌器を例示する斜視図。
【図２】図１と同じペット用自動給餌器を示す右側面図。
【図３】図２の縦断面図。
【図４】図３のペット用自動給餌器からホッパを取除いた状態を示す部分拡大縦断面図。
【図５】図４のペット用給餌器のハンドルを正面側へ倒した状態を示す部分拡大縦断面図。
【図６】図３のペット用自動給餌器から取出したホッパや供給羽根車等を示す部分拡大底面図。
【図７】図３のペット用自動給餌器からホッパや供給羽根車等を取除いた状態を示す部分拡大平面図。
【図８】図３のペット用自動給餌器の駆動系を示すブロック図。
【符号の説明】
【００２４】
１１        ケーシング
１２        開口
１３        係合片
２１        ホッパ
３１        供給機構
３２        供給羽根車
３３        切欠部
３４        外殻体
３５        従動軸
３７        撹拌羽根車
４１        ガイド
４２        係合片
５１        トレイ
６１        カバー
６３        鉤片
７１        ハンドル
７２，７３  耳片
７６        ストッパ
８１        駆動系
８２        駆動軸
８３        モータ
８８        大歯車
９１        操作パネル
９２        制御基板
９３        電源
９４        表示部
９５        カウンタースイッチ
【図１】
0003146361.tif 000003
【図２】
0003146361.tif 000004
【図３】
0003146361.tif 000005
【図４】
0003146361.tif 000006
【図５】
0003146361.tif 000007
【図６】
0003146361.tif 000008
【図７】
0003146361.tif 000009
【図８】
0003146361.tif 000010